(57)【要約】【課題】ベルトと接触する吸引チャンバ表面（摺動面）へのゴム摩耗粉の付着を低減することにより、ベルト搬送時に発生するゴムの粘着摩耗を防止し、ベルトと吸引チャンバの摺動抵抗増加を抑制し、もってベルトを駆動する駆動モータの負荷変動を経時に亘り低減する。【解決手段】シート搬送方向Ｘに間隔をおいて平行に配置されたローラ対としての架橋ローラ２２ａ、２２ｂと、ローラ対に架け渡され、複数の穴が開いたゴムを含む材料で形成されたベルトである吸着ベルト２１と、ローラ対の一方を駆動する駆動モータと、ローラ対の間に配置され、シートを吸着する側の面に開口部を有する吸引チャンバ２４と、吸引チャンバ内の空気を排気するファンと、を備えたシート搬送装置であって、シートがベルトに吸着されるシート吸着時に該ベルトと接触する吸引チャンバの表面に、複数の凹部としての微小凹凸面３０を設けた。複数の凹部の深さは、４０μｍ以上である。【選択図】図５
2020019579.tif 000002
【特許請求の範囲】
【請求項１】
シート搬送方向に間隔をおいて配置されたローラ対と、
前記ローラ対に架け渡され、複数の穴が開いたベルトと、
前記ローラ対の間に配置され、シートを吸着する側の面に開口部を有する吸引チャンバと、
前記吸引チャンバ内の空気を排気するファンと、を備えたシート搬送装置であって、
シートが前記ベルトに吸着されるシート吸着時に該ベルトと接触する前記吸引チャンバの表面に、複数の凹部を設けたシート搬送装置。
【請求項２】
請求項１記載のシート搬送装置において、
前記複数の凹部の深さは、４０μｍ以上であることを特徴とするシート搬送装置。
【請求項３】
請求項１又は２記載のシート搬送装置において、
前記複数の凹部は、前記吸引チャンバの表面に溝を彫り込むことにより形成したことを特徴とするシート搬送装置。
【請求項４】
請求項３記載のシート搬送装置において、
前記溝は、その深さが１．２５ｍｍ以下であることを特徴とするシート搬送装置。
【請求項５】
請求項３又は４記載のシート搬送装置において、
前記溝は、前記シート搬送方向に対して連続した凸平面を有さないことを特徴とするシート搬送装置。
【請求項６】
請求項３〜５の何れか１つに記載のシート搬送装置において、
前記溝は、前記ベルトと接触する前記吸引チャンバの表面のみに形成されていることを特徴とするシート搬送装置。
【請求項７】
請求項６記載のシート搬送装置において、
前記溝の深さは、前記シート搬送方向と直交するベルト幅方向の前記ベルトの両端部で０ｍｍであり、前記ベルト幅方向の前記ベルトの中央部にかけて深く形成されていることを特徴とするシート搬送装置。
【請求項８】
請求項１〜７の何れか１つに記載のシート搬送装置において、
前記複数の凹部の深さ又は前記溝の深さと幅が、１．２５ｍｍ以下に設定されていることを特徴とするシート搬送装置。
【請求項９】
請求項１〜８の何れか１つに記載のシート搬送装置において、
前記ベルトは、ゴムを含む材料で形成されていることを特徴とするシート搬送装置。
【請求項１０】
請求項１〜９の何れか１つに記載のシート搬送装置において、
前記ローラ対を駆動する駆動モータを備えていることを特徴とするシート搬送装置。
【請求項１１】
積層されたシートにエア噴出しシートの端部を浮上させるエア噴出し手段と、
前記浮上したシートを保持し分離させる保持手段と、
前記保持したシートを搬送する搬送手段と、を備えるシート給送装置において、
前記搬送手段として、請求項１〜１０の何れか１つに記載のシート搬送装置を用いることを特徴とするシート給送装置。
【請求項１２】
請求項１〜１０の何れか１つに記載のシート搬送装置及び／又は請求項１１記載のシート給送装置を具備することを特徴とする画像形成装置。
【発明の詳細な説明】
【技術分野】
【０００１】
本発明は、シート搬送装置、シート給送装置及び画像形成装置に関する。
【背景技術】
【０００２】
画像形成部や画像形成装置に用紙を給紙するエアピック式の給紙装置を用いるエア給紙技術が知られている（例えば、特許文献１参照）。この種の給紙装置では、給紙トレイの用紙積載台に積載されている用紙束にエアを吹き付けることにより用紙を捌き、用紙先端側からエアを吹き付けることにより用紙を浮上させる。そして、浮上した用紙の上側に、穴の開いた吸着搬送用のゴム製の無端状のベルトを配置し、そのベルトの穴からエアを吸引することによりベルトに用紙を吸着させ、更にベルトに吸着した用紙とそれ以外の用紙の間に分離エアを吹き付けて用紙を１枚ごとに分離し給送するように構成されている。
【０００３】
しかしながら、特許文献１を含む今までのベルトに用紙を吸着させて搬送するエア吸着搬送式の搬送装置や給紙装置では、用紙が吸着搬送用のベルトに吸着した際に、ベルトとこのベルトの内側に配置された負圧を発生させる吸引チャンバの表面（以下、「吸引チャンバ表面」ともいう）とが密着する。これにより、用紙の吸着搬送を繰り返していくと、ゴム製のベルトの削れカスであるゴムを主成分とする摩耗粉（以下、「ゴム摩耗粉」又は「ベルト摩耗粉」という）が吸引チャンバ表面の摺動面（ベルトが密着して回転搬送するため摺動面となる）に付着する。そして、ベルトが回転したときに生じる摩擦熱などの影響により摩耗粉が粘着性を帯び（以下、「粘着摩耗」という）、吸引チャンバ表面の摺動面に経時的に付着滞留することで、ベルトとチャンバの摺動面との間の摺動抵抗・摩擦力が経時的に増加し、ひいてはベルトを駆動させるモータ等に大きな負荷が掛かってしまうという問題があった。
【発明の概要】
【発明が解決しようとする課題】
【０００４】
本発明は、上述した事情に鑑みてなされたものであり、ベルトと接触する吸引チャンバ表面（摺動面）へのベルト摩耗粉の付着を低減することにより、ベルト搬送時に発生する粘着摩耗を防止し、ベルトと吸引チャンバの摺動抵抗増加を経時に亘り抑制することができるシート搬送装置を提供することを目的とする。
【課題を解決するための手段】
【０００５】
上記目的を達成するために、本発明は、シート搬送方向に間隔をおいて配置されたローラ対と、前記ローラ対に架け渡され、複数の穴が開いたベルトと、前記ローラ対の間に配置され、シートを吸着する側の面に開口部を備えた吸引チャンバと、前記吸引チャンバ内の空気を排気するファンと、を備えたシート搬送装置であって、シートが前記ベルトに吸着されるシート吸着時に該ベルトと接触する前記吸引チャンバの表面に、複数の凹部を設けたシート搬送装置にある。
【発明の効果】
【０００６】
本発明によれば、ベルトと接触する吸引チャンバの表面に複数の凹部を設けるという簡素な構成により、ベルト摩耗粉が吸引チャンバ表面の複数の凹部に入り込むことで、ベルトと接触する吸引チャンバの表面の摺動面へのベルト摩耗粉の付着を低減することができ、これにより粘着摩耗を防止し、ベルトと吸引チャンバの摺動抵抗増加を経時に亘り抑制することができる。
【図面の簡単な説明】
【０００７】
【図１】本発明の一実施形態を示すエアピック式給紙装置の概略的な構成を説明する斜視図である。
【図２】図１の給紙装置が備えている給紙ユニットを上下逆にして示す斜視図である。
【図３】図２の給紙ユニットを図２の矢印Ａ視方向から見た図である。
【図４】（ａ）は従来の給紙ユニットの要部の断面を模式的に示す図、（ｂ）は（ａ）の従来の給紙ユニットの問題点について説明するための要部の断面を模式的に示す図である。
【図５】（ａ）は一実施形態の給紙ユニットの要部の断面を模式的に示す図、（ｂ）は（ａ）の給紙ユニットの動作を説明する要部の断面を模式的に示す図である。
【図６】実施例１に係る吸引チャンバの表面に形成される微小凹凸面の形状を示す平面図である。
【図７】（ａ）は微小凹凸面の有無による経時的な駆動モータの負荷増加について実験した結果を説明するグラフ、（ｂ）は（ａ）の実験の際の吸着ベルトの重量変化を説明するグラフである。
【図８】実施例２に係る吸引チャンバの表面に形成される溝形状を示す平面図である。
【図９】一実施形態の給紙ユニットの吸引チャンバ内静圧とクリアランスとの関係を表すグラフである。
【図１０】実施例３に係る吸引チャンバの表面に形成される斜行溝形状を示す平面図である。
【図１１】実施例４に係る吸引チャンバの表面に形成される溝の形成範囲を示す平面図である。
【図１２】実施形態に係る画像形成装置の概略構成図である。
【図１３】実施形態に係る給紙装置の概略構成図である。
【発明を実施するための形態】
【０００８】
以下、図を参照して実施例を含む本発明の実施の形態を詳細に説明する。各実施形態等に亘り、同一の機能及び形状等を有する構成要素（部材や構成部品）等については、混同の虞がない限り一度説明した後では同一符号を付すことによりその説明を省略する。図及び説明の簡明化を図るため、図に表されるべき構成要素であっても、その図において特別に説明する必要がない構成要素は適宜断わりなく省略することがある。公開特許公報等の構成要素を引用して説明する場合は、その符号に括弧を付して示し、各実施形態等のそれと区別するものとする。
【０００９】
図１を参照して、本発明のシート搬送装置及びシート給送装置に係る一実施形態を示すエアピック式給紙装置の概略的な構成を説明する。図１は本発明のシート搬送装置及びシート給送装置に係る一実施形態を示すエアピック式給紙装置の概略的な構成を説明する斜視図である。
同図に示すように、エアピック式給紙装置５０（以下、単に「給紙装置５０」という）は、給紙トレイ１０、フロント送風装置１２、一対のサイド送風装置１４及び給紙ユニット２０等を備えている。給紙装置５０は、本発明に係るシート給送装置として機能する。
尚、図１ではフロント送風装置１２及び一対のサイド送風装置１４の配置及び各送風状態等が給紙ユニット２０に隠れて見えにくくなるため、２本の矢印で示すようにシート搬送方向ないしシート給送方向である給紙方向Ｘの下流側に給紙ユニット２０を故意にずらして示している。
【００１０】
給紙トレイ１０は、シートの一例としての用紙の用紙束を積載するシート積載台である用紙積載台１１を備えている。用紙積載台１１は、図示を省略した駆動源としてのモータを備えた昇降機構によって昇降可能に構成されている。
また、給紙トレイ１０には、用紙束ＳＡの上部先端部(シート給送方向ないしシート搬送方向である給紙方向Ｘの下流側端部)に空気（以下、「エア」ともいう）を送風するフロント送風装置１２、及び１対のサイドフェンス１３にそれぞれ設けられ、用紙束ＳＡの上部側面に空気を送風するサイド送風装置１４が配設されている。
【００１１】
フロント送風装置１２には、用紙Ｓないし用紙束ＳＡを浮上させる方向に空気を案内する図示を省略した浮上ノズルと、最上位の浮上した用紙とそれ以外の用紙を分離する方向に空気を案内する図示を省略した分離ノズルが配置されており、それぞれのノズルから送風される空気を浮上エア（フロント送風装置１２の下側に示す白抜き太矢印で表す）、分離エア（フロント送風装置１２の上側に示す白抜き太矢印で表す）と呼ぶ。サイド送風装置１４には、用紙束ＳＡを捌き、浮上させる方向に空気を案内する図示を省略したサイド浮上ノズルが配置されており、このノズルから送風される空気をサイドエア（各サイド送風装置１４から噴出す白抜き太矢印で表す）と呼ぶ。
上記したとおり、フロント送風装置１２及びサイド送風装置１４は、用紙積載台１１上に積層・積載された用紙Ｓないし用紙束ＳＡにエア噴出し用紙の端部を浮上させるエア噴出し手段として機能する。また、フロント送風装置１２は、フロント送風装置１２及びサイド送風装置１４により浮上された用紙束を１枚ずつに分離する分離手段として機能する。
【００１２】
給紙トレイ１０の上方には、用紙積載台１１に積載された用紙Ｐを吸着し給送ないし搬送する給紙ユニット２０が配置されている。給紙ユニット２０は、搬送部材である無端状の吸着ベルト２１及び吸引装置２３を備えている。
吸着ベルト２１は、給紙方向Ｘに間隔をおいて平行に配置された１対の架橋ローラ２２ａ、２２ｂに架け渡され（以下、「架橋」ともいう）ており、吸着ベルト２１の表面側から裏面側まで貫通する吸引・吸着用の穴が周方向の全域に渡り開けられている(後述する図２、図３参照、図１では穴は全て省略されている)。
【００１３】
吸引装置２３は、１対の架橋ローラ２２ａ、２２ｂの間の吸着ベルト２１の内側に配置されたエアダクト２５を通じて図示を省略したブロワファン（図２参照）に連通・接続している。このブロワファンの排気によってエアダクト２５内のエアが白抜き太矢印で示す方向に吸引されることで、上側の吸着ベルト２１の下方に負圧を発生させることとなり、吸着ベルト２１の下面に用紙Ｓを吸着させるように作用する。上記したとおり、給紙ユニット２０は、浮上した用紙を保持し分離させる保持手段ないしシート搬送装置として機能する。
【００１４】
図２、図３を参照して、図１の給紙装置５０が備えている給紙ユニット２０の細部構成及び動作を説明する。図２は図１の給紙装置５０が備えている給紙ユニット２０を上下逆にして示す斜視図であり、図３は図２の給紙ユニット２０を図２の矢印Ａ視方向から見た図である。
図２、図３に示すように、架橋ローラ２２ａ、２２ｂには３つに分かれた３組の吸着ベルト２１ａ、２１ｂ、２１ｃが架橋されており、各吸着ベルト２１ａ、２１ｂ、２１ｃには吸着ベルト全周に渡り複数（多数）の穴２１ｄが吸着ベルトを貫通して開いている。尚、図２、図３において架橋ローラ２２ａ、２２ｂ上側に位置する各吸着ベルト２１ａ、２１ｂ、２１ｃでは、図示の簡明化を図るため穴２１ｄの図示は省略している。各吸着ベルト２１ａ、２１ｂ、２１ｃを区別しないで説明するときは、以下、吸着ベルト２１と総称する。
【００１５】
図２に示すように、架橋ローラ２２ａの駆動軸２６には、ベルト及びプーリなどの駆動力伝達手段を介して、駆動ローラである架橋ローラ２２ａ及び吸着ベルト２１を回転駆動する駆動モータ２７が連結されている。駆動モータ２７としては、例えばパルス入力で回転するステッピングモータが用いられる。架橋ローラ２２bは、吸着ベルト２１を介して従動回転する従動ローラであり、軸を介して給紙ユニット本体フレームに回転可能に支持されている。
【００１６】
架橋ローラ２２ａ、２２ｂ及び吸着ベルト２１の内側には、内部が空洞になっている箱型の吸引チャンバ２４が配設されている。吸引チャンバ２４には、図３で示すように、吸着ベルト２１の用紙の吸着面となる側の面に対向し、吸着ベルト２１の穴２１ｄの配列に合わせて複数の開口部２４ａ（図３に破線で示す）が設けられている。更に、吸引チャンバ２４は、図２に示すように、内部の空洞がダクト２５の一端部に連通し、ダクト２５の他端部が模式的に示すブロワファン２８に連通している。
【００１７】
給紙装置５０の動作について補説する。ブロワファン２８が回転駆動すると、ダクト２５を通して吸引チャンバ２４内の空気が排気され、吸引チャンバ２４内の気圧が下がり負圧となると共に、吸引チャンバ２４の複数の開口部２４ａから吸着ベルト２１の多数の穴２１ｄを通して空気が吸気され、吸着ベルト２１の下側に積載されている用紙束の最上紙が吸着ベルト２１に吸着する。
【００１８】
吸着ベルト２１に吸着した用紙は架橋ローラ２２ａの駆動軸２６に接続されている駆動モータ２７が回転駆動することにより、架橋ローラ２２ａを介して吸着ベルト２１が給紙方向Ｘに回転・走行し、用紙Ｓが給紙先である画像形成装置や画像形成部に向かって搬送される。
【００１９】
図４を参照して、従来の給紙ユニットの構成及び問題点について説明する。図４（ａ）は従来の給紙ユニットの要部の断面を模式的に示す図、図４（ｂ）は図４（ａ）の従来の給紙ユニットの問題点について説明するための要部の断面を模式的に示す図である。図４（ａ）、図４（ｂ）において、２０Ｘは従来の給紙ユニットを、２４Ｘは従来の吸引チャンバ２４を、それぞれ示している。
図４（ａ）に示すように、従来の給紙ユニット２０Ｘでは、一般的に、吸引チャンバ２４Ｘの下側の表面２４ｂと吸着ベルト２１の裏面２１ｅとの間には隙間（クリアランス）が無いように設定されていた。即ち、吸引チャンバ２４Ｘから排気しないことで用紙を吸着しない非用紙吸着時には、吸引チャンバ２４Ｘの表面２４ｂと吸着ベルトの裏面２１ｅとのクリアランスが無く、吸引チャンバ２４Ｘの表面２４ｂと吸着ベルトの裏面２１ｅとが常に対向接触するように設定されていた。尚、非用紙吸着時とは、シートを吸着しない非シート吸着時を表している。
【００２０】
また、従来の給紙ユニット２０Ｘの吸引チャンバ２４Ｘの下側の表面２４ｂは、シートを吸着して搬送するシート吸着搬送時である用紙吸着搬送時には吸着ベルト２１の裏面２１ｅと摺動する摺動面となることから、通常、平滑面に形成されていた。
そのため、用紙吸着搬送時において吸引チャンバ２４Ｘ内のエアを吸引する際には、図４（ａ）で示すように、吸着ベルト２１を吸引する力である吸引力Ｐが発生する。上記クリアランスが無い場合、吸着ベルト２１の裏面２１ｅは吸引チャンバ２４Ｘの表面２４ｂに対して吸引力Ｐで吸引チャンバ２４Ｘの表面２４ｂに密着することから、吸着ベルト２１の裏面２１ｅと吸引チャンバ２４Ｘの表面２４ｂとの間に生じる摩擦係数μとすると、吸着ベルト２１の駆動時に発生する吸着ベルト２１の裏面２１ｅと吸引チャンバ２４Ｘの表面２４ｂとの間に生じる摩擦力は、上記した摩擦係数μよりＰμとなる。尚、吸着ベルト２１の裏面２１ｅが吸引チャンバ２４Ｘの表面２４ｂに対して吸引力Ｐで吸引チャンバ２４Ｘに密着した際、吸着ベルト２１には図示の張力Ｔ１が作用する。
【００２１】
図４（ａ）の給紙ユニット２０Ｘにおいて用紙の給紙を繰り返し行うと、吸着ベルト２１の裏面２１ｅが吸引チャンバ２４Ｘの表面２４ｂに接触（密着）することによって吸引チャンバ２４Ｘの表面２４ｂが摺動面となり、図４（ｂ）に示すように、その摺動面の摺動抵抗によって吸着ベルト２１の裏面２１ｅに削れが発生し、その吸着ベルト２１の微小な削れカス２９（ゴム摩耗粉からなる）が吸引チャンバ２４Ｘの摺動面となる表面２４ｂに経時的に付着する。
【００２２】
吸着ベルト２１の主成分がゴムの場合、吸引チャンバ２４Ｘの摺動面となる表面２４ｂに付着した削れカス２９が、吸着ベルト２１の裏面２１ｅと吸引チャンバ２４Ｘの表面２４ｂとの間で繰り返し擦れることにより、吸着ベルト２１が回転したときに生じる摩擦熱などの影響により削れカス２９は粘着性を帯び（粘着摩耗）、吸引チャンバ２４Ｘの表面２４ｂにゴムの膜が生成される。粘着摩耗したゴムの膜が生成されると、吸着ベルト２１の駆動時には吸着ベルト２１の裏面２１ｅと吸引チャンバ２４Ｘの表面２４ｂとの間の摩擦係数μであったのに対し、ゴム同士の摩擦係数μ’となりμ＜μ’となることから、吸着ベルト２１と吸引チャンバ２４Ｘとの間の上記摺動抵抗が増加し、架橋ローラ２２ａを介して吸着ベルト２１を駆動させる駆動モータ２７の負荷が増大し、駆動モータ２７の経時的な負荷変動によって脱調してしまう、という問題があった。
【００２３】
次に、図５〜図７を参照して、図４に示した従来の給紙ユニットの問題を解消できる本発明の特徴的な一実施形態について説明する。
図５（ａ）は一実施形態の給紙ユニットの要部の断面を模式的に示す図、図５（ｂ）は図５（ａ）の給紙ユニットの動作を説明する要部の断面を模式的に示す図である。
図５に示す本実施形態に係る給紙ユニット２０は、図４に示した従来の給紙ユニット２０Ｘと比較して、吸引チャンバ２４Ｘに代えて吸引チャンバ２４を用いる点のみ相違する。吸引チャンバ２４は、給紙ユニット２０Ｘと比較して、吸引チャンバ２４から排気する用紙吸着時に吸着ベルト２１の裏面２１ｅと接触する吸引チャンバ２４の表面２４ｂに、複数の凹部としての微小凹凸面３０を設けた点が主に相違する。
尚、図５（ａ）、図５（ｂ）では、吸引チャンバ２４の表面２４ｂと吸着ベルト２１の裏面２１ｅとが接触していないように隙間を開けて故意に示しているが、これは本実施形態の吸引チャンバ２４の表面２４ｂの上記した特徴的な構成及び動作を明確に表すためであり、図４に示した従来の吸引チャンバ２４Ｘと同様に、吸引チャンバ２４の表面２４ｂと吸着ベルト２１の裏面２１ｅとは常に接触状態にある。
【００２４】
図５（ａ）に示すように、吸引チャンバ２４の表面２４ｂには、用紙吸着時において吸着ベルト２１の裏面２１ｅと吸引チャンバ２４の表面２４ｂとの摺動面において、吸引チャンバ２４の表面２４ｂに微小凹凸面３０を形成している。微小凹凸面３０は、凹部の深さとなる微小凹凸面３０の高低差が４０μｍ以上で形成されている。
【００２５】
吸引チャンバ２４の表面２４ｂの摺動面において、微小凹凸面３０を形成していることにより、図５（ｂ）で示すように、用紙吸着搬送時において吸着ベルト２１の削れカス２９が発生した場合に、削れカス２９は微小凹凸面３０の凹部内に入り込む。これにより、吸着ベルト２１の裏面２１ｅと吸引チャンバ２４の表面２４ｂの摺動面には削れカス２９が介在しなくなり、先に述べたゴムの粘着摩耗の発生が抑制され、吸着ベルト２１と吸引チャンバ２４との摩擦係数μが維持されることから駆動モータの負荷増加を抑制し、負荷を低減することができる。
【００２６】
吸着ベルト２１の削れカス２９が発生した場合に、削れカス２９が微小凹凸面３０の凹部内に入り込みやすくする観点及び凹部による削れカス２９の保持性の観点等から、凹部の深さが４０μｍ以上であることが好ましい。
微小凹凸面３０の高低差は、上記した通り４０μｍ以上で形成されているが、後述する実施例２で説明するように、吸着ベルト２１の裏面２１ｅと接触（密着）する吸引チャンバ２４の表面２４ｂに形成された溝との隙間（以下、「クリアランス」ともいう）から漏れるエアの影響によって生じる重送を避ける点から、微小凹凸面３０の深さを１．２５ｍｍ以下に設定することが好ましい。
【００２７】
（実施例１）
図６を参照して、吸引チャンバの表面に複数の凹部としての微小凹凸面を形成する実施例１について説明する。図６は吸引チャンバの表面に形成される実施例１に係る微小凹凸面の形状を示す平面図である。
図６に示す実施例１に係る微小凹凸面３０の形状は、吸着ベルト２１の裏面２１ｅと接触する吸引チャンバ２４における複数の開口部２４ａを除く表面２４ｂのほぼ全領域に、サンドブラスト処理（細かなビーズ粒子を表面に当てて凹凸を形成する）又はシボ処理により、吸着ベルト２１と摺動する吸引チャンバ２４の摺動面となる表面２４ｂに細かい凹凸形状を形成させたものである。
実施例１の給紙ユニット（図示せず）は、上述した通り微小凹凸面３０の形成方法を明示した以外は、図５に示す給紙ユニットと同様である（以下の実施例２〜４でも同じ）。
【００２８】
厳密に言えば、図６の微小凹凸面３０は、図３に示した吸着ベルト２１ａ、２１ｂ、２１ｃの裏面２１ｅと対向・接触する吸引チャンバ２４の表面２４ｂの領域、及び互いに隣り合う吸着ベルト２１ａと吸着ベルト２１ｂとの間、吸着ベルト２１ｂと吸着ベルト２１ｃとの間の領域に、上記表面処理加工を施すことで形成したものである。
互いに隣り合う吸着ベルト２１ａと吸着ベルト２１ｂとの間、吸着ベルト２１ｂと吸着ベルト２１ｃとの間の領域に対応した吸引チャンバ２４の表面２４ｂの領域は、吸着ベルト２１の裏面２１ｅと対向するが接触していない領域である。これは、上記表面処理加工を施す際に上記部位をカバーなどで被覆する手間などを省くことを考慮したものであり、微小凹凸面３０の形成範囲を多少広く採ることで、経時に亘る削れカス２９が微小凹凸面３０の凹部内に入り込むのを余裕をもって行わせることができる点から問題はない。
【００２９】
図６に示すように、微小凹凸面３０として細かい球状もしくは梨地状の凹凸が吸引チャンバ２４の表面２４ｂに形成され、この微小凹凸の凹部内に吸着ベルトの削れカス２９が入り込む（図５（ｂ）参照）ことで、摺動抵抗の増加及び駆動モータの負荷増加を抑制し、駆動モータの負荷トルクを低減することが可能となる。
【００３０】
図７のグラフを参照して、吸引チャンバの微小凹凸面３０の有無による経時的な駆動モータ２７の負荷増加、その際の吸着ベルト２１ａ〜２１ｃの重量変化について行なった実験結果について説明する。図７（ａ）は微小凹凸面の有無による経時的な駆動モータの負荷増加について実験した結果を説明するグラフである。図７（ｂ）は図７（ａ）の実験の際の吸着ベルトの重量変化を説明するグラフである。
上記実験においては、図４に示した表面２４ｂに微小凹凸面無し（以下、「凹凸無し」と記載する）の従来例の吸引チャンバ２４Ｘと、図６の実施例１で説明した微小凹凸面３０有り（以下、「凹凸有り」と記載する）の吸引チャンバ２４（凹凸の高低差４０μｍが形成されている）とを用いて、比較確認実験を行っている。吸引チャンバの微小凹凸面３０の有無以外の実験条件は、同一の条件、ちなみに吸着ベルト２１ａ〜２１ｃの材質はエチレンプロピレンゴム（ＥＰＤＭ）で形成されたものを、吸引チャンバ２４Ｘ、２４の材質はポリアセタール樹脂（ＰＯＭ）で形成されたものを用いて行なった。
【００３１】
図７（ａ）の横軸には通紙枚数[ｋ枚（×１０００枚）]を、縦軸には駆動モータの負荷トルク[Ｎｃｍ]（図７（ａ）では「モータ負荷トルク」と記載している）をそれぞれ取っている。図７（ａ）の実験結果から、吸着ベルトは初期において特に削れ易く、凹凸無しの場合は２００ｋ枚程度まで吸着ベルトの削れにより削れカスが発生し、削れカスが吸引チャンバの摺動面へ付着して駆動モータの負荷トルクの増加が続いてしまう。その後、吸着ベルトの削れが飽和したことにより負荷トルクは徐々に低下していく傾向が認められた。
これに対し、凹凸有りの場合は、凹凸無しの場合と比べて駆動モータ負荷トルクの増加は経時的になく、凹凸有りの場合の実施例１の優位性が認められた。
【００３２】
図７（ｂ）の横軸には通紙枚数[ｋ枚（×１０００枚）]を、縦軸には吸着ベルトの重量変化量[ｇ]（図７（ｂ）では「重量変化量」と記載している）をそれぞれ取っている。図７（ｂ）の実験結果から、吸引チャンバに凹凸有りの場合、吸着ベルトの重量変化量は変化しているが、図７（ａ）の実験結果からモータ負荷トルクの増加はないことから微小な凹凸の凹部内に削れカスが入り込むことで、負荷トルクの増加を抑制していることが確認された。
【００３３】
以上説明した通り、本実施形態及び実施例１によれば、吸着ベルトと接触する吸引チャンバの表面に複数の凹部、複数の凹部としての微小凹凸面を設けるという簡素な構成により、ゴム摩耗粉が吸引チャンバの表面の複数の凹部内に入り込むことで、ベルトと接触する吸引チャンバの表面の摺動面へのゴム摩耗粉の付着を低減することができる。これにより、ゴムの粘着摩耗を防止し、吸着ベルトと吸引チャンバの摺動抵抗増加を抑制することで、吸着ベルトを駆動する駆動モータの負荷変動を経時に亘り低減することができると共に、駆動モータの脱調を未然に防止することができる。
【００３４】
（実施例２）
図８、図９を参照して、吸引チャンバの表面に複数の凹部として複数の微小な溝を形成した実施例２について説明する。図８は吸引チャンバの表面に形成される実施例２に係る溝形状を示す平面図である。図９は実施例２に係る吸引静圧と隙間の関係について説明するグラフである。
図８に示す実施例２では、図６に示した実施例１の微小凹凸面３０に代えて、複数の凹部として複数の微小な溝３０ａ（以下、単に「溝３０ａ」ともいう）を吸引チャンバ２４の表面２４ｂに形成した点が主に相違する。複数の溝３０ａは、給紙方向Ｘと直交するベルト幅方向Ｙに沿って直線状の溝３０ａを彫り込むことにより凹部が形成されている。このように、上記した吸着ベルトの削れカスが溝３０ａ内に入り込むことで摺動抵抗の増加及び駆動モータの負荷増加を抑制し、駆動モータの負荷トルクを低減することが可能となる。
厳密に言えば、図８の溝３０ａは、図３に示した吸着ベルト２１ａ、２１ｂ、２１ｃの裏面２１ｅと対向・接触する吸引チャンバ２４の表面２４ｂの領域、及び互いに隣り合う吸着ベルト２１ａと吸着ベルト２１ｂとの間、吸着ベルト２１ｂと吸着ベルト２１ｃとの間の領域に、上記溝を彫り込むことで形成したものである。
【００３５】
ただし、溝を形成する場合、溝の深さが１．２５ｍｍを超えると吸着ベルトと溝３０ａの隙間（以下、「クリアランス」ともいう）から漏れるエアが強くなり、吸着ベルト２１へ用紙が吸着した際に、次の用紙も吸い付けてしまう重送が発生する可能性があるため、溝３０ａの深さが１．２５ｍｍ以下で形成することが好ましい。
【００３６】
次に、図９、表１、表２を参照して、溝３０ａの深さが１．２５ｍｍ以下で形成することが好ましい根拠について説明する。図９は横軸に溝３０ａの深さと同義であるクリアランス[ｍｍ]を、縦軸に吸引チャンバ内静圧[ｋＰａ]をそれぞれ取って示すグラフである。
溝３０ａの単位面積当たりの本数である溝の面密度については、一定本数の溝３０ａを形成した吸引チャンバを用いて、クリアランスを０．５〜１．５０[ｍｍ]の５段階に変えて吸引チャンバ内静圧[ｋＰａ]の変化を測定した。
【００３７】
表１において、計測器出力とは、デューティ比（表１、表２では単に「Ｄｕｔｙ」と記載している）４０〜１００％におけるブロワファンを駆動するファンモータの出力[Ｖ]を表している。表２において、圧力換算値とは、デューティ比４０〜１００％におけるブロワファンを駆動するファンモータの出力[Ｖ]に対応した圧力[−ｋＰａ]を表している。表１及び表２では、デューティ比８０％が目標値である。
【００３８】
【表１】
2020019579.tif 000003
【００３９】
【表２】
2020019579.tif 000004
【００４０】
上記実験結果より、クリアランスが０．５〜１．２５ｍｍまでは略一定の適正な吸引チャンバ内静圧を確保することができるが、クリアランスが１．２５ｍｍを超えると、これを境界にして吸引チャンバ内静圧が急激に降下していくことが分かった。そのため、図９、表１及び表２に示すように、溝を形成する場合、溝の深さが１．２５ｍｍを超えると吸着ベルトと溝３０ａの隙間（クリアランス）から漏れるエアが強くなり、適正な吸引チャンバ内静圧が確保できなくなることが分かった。これは、吸着ベルト２１へ用紙が吸着した際に、次の用紙も吸い付けてしまう重送が発生する虞のあることを表している。
【００４１】
以上説明した通り、実施例２によれば、複数の凹部として給紙方向Ｘと直交するベルト幅方向Ｙに沿って溝を彫り込むことにより形成した微小な溝を設けるという簡素な構成により、ゴム摩耗粉が吸引チャンバ表面の直線状の複数の微小な溝内に入り込むことで、ベルトと接触する吸引チャンバの表面の摺動面へのゴム摩耗粉の付着を低減することができる。これにより、ゴムの粘着摩耗を防止し、吸着ベルトと吸引チャンバの摺動抵抗増加を抑制することで、吸着ベルトを駆動する駆動モータの負荷変動を経時に亘り低減することができると共に、駆動モータの脱調を未然に防止することができる。
また、溝３０ａの深さが１．２５ｍｍ以下で形成したことにより、吸着ベルトと溝３０ａの隙間（クリアランス）から漏れるエアを防止することができ、重送を防止することができる。以上をまとめると、溝３０ａの深さと幅が１．２５ｍｍ以下で形成することが望ましい。即ち、溝３０ａの深さは、実施例１の微小凹凸面３０の深さと同様の４０μｍ以上で、かつ１．２５ｍｍ以下で形成することが好ましい。
【００４２】
（実施例３）
図１０を参照して、吸引チャンバの表面に複数の凹部として複数の微小な斜行溝を形成した実施例３について説明する。図１０は吸引チャンバの表面に形成される実施例３に係る微小な斜行溝形状を示す平面図である。
図８に示す実施例３では、図８に示した実施例２の溝３０ａに代えて、複数の凹部として直線状の複数の微小な斜行溝３０ｂ（以下、単に「斜行溝３０ｂ」ともいう）を吸引チャンバ２４の表面２４ｂに形成した点が主に相違する。複数の斜行溝３０ｂは、給紙方向Ｘに対して連続的な凸平面を有さないように、給紙方向Ｘに対して斜行した斜行溝３０ｂとして形成されている。
【００４３】
例えば、直線状の複数の溝を吸着ベルト２１の給紙方向Ｘと平行に配置した場合、吸引チャンバの凸面が給紙方向Ｘと同一方向に連続して形成されることで、その凸部連続面に吸着ベルトの削れカスが付着してしまい、本発明の課題である摺動抵抗の増加、負荷トルクの抑制効果がなくなってしまう。そのため、吸引チャンバ２４の表面２４ｂに形成される斜行溝３０ｂは図１０で示すように給紙方向Ｘに対して斜行して形成されている。
【００４４】
以上説明した通り、実施例３によれば、シート搬送方向Ｘに対して連続した凸平面を有さないように、複数の凹部としてシート搬送方向Ｘと斜行する方向に沿って溝を彫り込むことにより形成した複数の斜行溝を設けるという簡素な構成により、ゴム摩耗粉が吸引チャンバ表面の複数の斜行溝内に入り込むことで、ベルトと接触する吸引チャンバの表面の摺動面へのゴム摩耗粉の付着を低減することができる。これにより、ゴムの粘着摩耗を防止し、吸着ベルトと吸引チャンバの摺動抵抗増加を抑制することで、吸着ベルトを駆動する駆動モータの負荷変動を経時に亘り低減することができると共に、駆動モータの脱調を未然に防止することができる。
【００４５】
（実施例４）
図１１を参照して、吸引チャンバの表面に複数の微小な溝の形成範囲を吸着ベルトの幅と同一にした実施例４について説明する。図１１は吸引チャンバの表面に形成される実施例４に係る微小な溝の形成範囲を示す平面図である。
図１１に示す実施例４に係る微小な溝３０ｃは、第１に、図８に示した実施例２に係る溝３０ａと比較して、吸着ベルトと接触する吸引チャンバ２４の表面２４ｂのみに形成されている点が相違する。即ち、溝３０ｃの形成範囲を対応する吸着ベルトの幅領域と同一としている。具体的には、溝３０ｃは、図３に示した吸着ベルト２１ａ、２１ｂ、２１ｃの互いに隣り合うベルト幅方向Ｙにおける吸着ベルト２１ａと吸着ベルト２１ｂとの間、吸着ベルト２１ｂと吸着ベルト２１ｃとの間の領域には形成されていない。このように、溝３０ｃの形成範囲は吸着ベルトの幅と同一幅以下であることが望ましい。
【００４６】
実施例４に係る溝３０ｃは、第２に、図８に示した実施例２に係る溝３０ａと比較して、溝３０ｃの深さは、シート搬送方向Ｘと直交するベルト幅方向Ｙの吸着ベルトの両端部（図１１にＡ、Ａに示す部位）で０ｍｍであり、ベルト幅方向Ｙの吸着ベルトの中央部（図１１にＢに示す部位）にかけて深く形成されている点が相違する。これにより、図８に示した実施例２に係る溝３０ａと比較して、複数の溝３０ｃから漏れるエアを低減することが可能となる。
具体的には、溝３０ｃの深さは、図１１のＡ点で示す吸着ベルト両端部の深さが０ｍｍで、吸着ベルトの中央部Ｂ点に向けて溝の深さを深くすることで、図８の実施例２に記載したエアの漏れを防止し重送の発生を防ぐことが可能となる。
【００４７】
以上説明した通り、実施例４によれば、シート搬送方向Ｘと直交するベルト幅方向Ｙに直線状の溝を彫り込むことにより形成した微小な溝を設けるという簡素な構成により、ゴム摩耗粉が吸引チャンバ表面の複数の微小な溝内に入り込むことで、吸着ベルトと接触する吸引チャンバの表面の摺動面へのゴム摩耗粉の付着を低減することができる。これにより、ゴムの粘着摩耗を防止し、吸着ベルトと吸引チャンバの摺動抵抗増加を抑制することで、吸着ベルトを駆動する駆動モータの負荷変動を経時に亘り低減することができると共に、駆動モータの脱調を未然に防止することができる。
また、微小溝３０ｃの深さは、シート搬送方向Ｘと直交するベルト幅方向Ｙの吸着ベルトの両端部で０ｍｍであり、ベルト幅方向Ｙの吸着ベルトの中央部にかけて深く形成することにより、図８に示した実施例２で記載したエアの漏れを防止し、重送の発生を防ぐことが可能となる。
【００４８】
実施例１〜４における吸引チャンバ２４の表面２４ｂの形状は平板状であったが、これに限らず、例えば上記特許文献１に開示されているようなシート搬送方向と直交する方向に湾曲する面に、本発明に係る複数の凹部を形成して上記効果を得るようにしてもよいことは無論である。
【００４９】
図１２を参照して、実施形態に係る画像形成装置の全体構成及び動作を説明する。図１２は実施形態に係る画像形成装置の概略構成図である。
図１２に示すように、本実施形態に係る画像形成手段としての画像形成装置１００は、本実施形態のシート搬送装置及び／又はシート給送装置を適用可能なプリンタ、及び同等の作像機能を有する複写機などの画像形成装置の一例である。この画像形成装置１００は、イエロー（Ｙ），シアン（Ｃ），マゼンタ（Ｍ），黒（Ｋ）の４色のトナーを用いるフルカラープリンタ及び同等の作像機能を有するフルカラー複写機である。
【００５０】
装置本体内の上部にそれぞれ各色トナーで作像を行う４つの作像ユニット１０１Ｙ，１０１Ｍ，１０１Ｃ，１０１Ｋを並べて配置している。各作像ユニット１０１Ｙ，１０１Ｍ，１０１Ｃ，１０１Ｋの構成とその動作は実質的に同一であるため、ここでは色を示す符号（Ｙ，Ｍ，Ｃ，Ｋ）を省略して作像ユニットについて説明する。作像ユニット１０１においては、像担持体としての感光体ドラム１０２の周囲に、帯電器１０３、現像装置１０４、クリーニング装置１０５等が配置されている。また、感光体ドラム１０２の上方に位置して、露光手段１０７が配置されている。
【００５１】
４つの作像ユニット１０１Ｙ，１０１Ｍ，１０１Ｃ，１０１Ｋの下方には、複数の支持ローラに掛け回された中間転写ベルト１０８が配置されている。 中間転写ベルト１０８は、支持ローラの一つが図示しない駆動手段によって回転駆動されることにより、矢印Ａ１方向に走行駆動される。その中間転写ベルト１０８を挟んで各作像ユニットの感光体ドラム１０２に対向するように、一次転写手段としての転写ローラ１０６が配置されている。
【００５２】
各作像ユニット１０１においては、感光体ドラム１０２が図中反時計回りに回転駆動され、帯電器１０３によって感光体表面が所定の極性に均一に帯電される。次いでその帯電面に、露光手段１０７から出射される光変調されたレーザビームが照射され、これによって感光体ドラム１０２上に静電潜像が形成される。その静電潜像は、現像装置１０４から付与されるトナーによって現像され、トナー像として可視化される。各作像ユニットで形成されたイエロー，シアン，マゼンタ，黒の各色トナー像は、中間転写ベルト１０８上に順次重ね合わされて転写される。
【００５３】
一方、装置本体の下部には給紙トレイ１１４ａ及び１１４ｂを有する給紙部１１４が設けられており、この給紙部１１４あるいは画像形成装置１００に装着される後述する給紙装置２００のいずれかからシート状の記録媒体として例えば転写紙が給送される。給送された転写紙は、レジストローラ１１１に向けて矢印Ｂ１の如く搬送される。レジストローラ１１１に突き当てられて一旦停止された転写紙は、中間転写ベルト１０８上のトナー像とのタイミングを取ってレジストローラ１１１より送出され、二次転写ローラ１０９と中間転写ベルト１０８とが接する二次転写部に送り込まれる。その二次転写ローラ１０９にトナーの帯電極性と逆極性の電圧が印加され、これによって中間転写ベルト１０８上の重ねトナー像（フルカラー画像）が転写紙上に転写される。トナー像転写後の転写紙は、搬送ベルト１１２により定着装置１１３へ搬送され、定着装置１１３にて熱と圧力によりトナーが転写紙に定着される。トナー像定着後の転写紙は、矢印Ｃで示すように機外に排出され、図示しない排紙トレイ上に排紙される。
【００５４】
尚、片面印刷で裏面排紙（フェイスダウン排紙）する場合は、用紙反転部１１５を経て矢印Ｃで示すように機外に排出することで、用紙の表裏が逆転される。また、両面印刷の場合は、定着後の用紙を両面反転部１１６を経て再給紙路１１７よりレジストローラ１１１へと再給紙し、用紙裏面に中間転写ベルト１０８よりトナー像が転写される。トナー像転写後の用紙は定着装置１１３で定着が行われ、片面印刷時と同じように定着装置１１３から矢印Ｃで示すように、あるいは用紙反転部１１５を経て矢印Ｃで示すように機外に排出され、図示しない排紙トレイ上に排紙される。用紙搬送方向を切り替えるための切替爪１１８，１１９が適宜配置されている。
【００５５】
モノクロ印刷の場合は、本例の画像形成装置１００では、黒（Ｋ）の作像ユニット１０１Ｋのみを用いてトナー像を作像し、そのトナー像を中間転写ベルト１０８を介して転写紙上に転写する。トナー像定着後の用紙の扱いは、フルカラー印刷の場合と同様である。
尚、装置本体の上面には、各作像ユニットの現像装置１０４に供給するトナーを収納した各色トナーボトル１２１をセットするトナーボトルセット部１２０が設けられている。また、表示部１２２及び操作パネル１２３を有する操作部１２４も装置本体の上面に設けられている。更に、装置本体の図において右側の側面には、後述する給紙装置（図１３参照）からの用紙搬入部Ｄが設けられている。用紙搬入部Ｄにおいては、用紙を受け入れる開口１２５と、用紙を搬送する搬送手段１２６が設けられている。
【００５６】
図１３を参照して、本実施形態のシート給送装置としての給紙装置の概略構成及び動作について説明する。図１３は本実施形態の給紙装置の概略構成及び動作について説明する図である。
図１３に示すように、本実施形態の給紙装置２００は、シート給送装置の一例であり、図１２に示した画像形成装置１００の装置本体の側面に着脱可能に設けられる。給紙装置２００は、図１に示したと同様の上下２段の給紙トレイ１０を備える。また、各給紙トレイ１０の上方には、給紙トレイ１０に積載された用紙Ｓや用紙束を分離・給紙する給紙ユニット２０がそれぞれ配置されている。
【００５７】
給紙ユニット２０は、搬送部材たる吸着ベルト２１及び吸引装置２３を備えている。各給紙トレイ１０は、用紙Ｓや用紙束の束を積載する用紙積載台１１を備えている。本実施形態においては、各給紙トレイは、最大２５００枚程度の用紙を収納可能となっている。また、各給紙トレイ１０には、用紙積載台１１の昇降を制御するための用紙検知センサ１５が設けられている。
下側の給紙トレイ１０に積載された用紙は、下搬送路１６を通って、出口ローラ対８０によって、画像形成装置１００の装置本体へ搬送される。上側の給紙トレイ１０に積載された用紙は、上搬送１７を通って、出口ローラ対８０によって、画像形成装置１００の装置本体へ搬送される。
【００５８】
上述した構成例に限らず、図１２の画像形成装置１００と、その用紙搬入部Ｄに接続された図１３の給紙装置２００とは、いわゆる画像形成システムを構成するものであってもよい。また、図１２の画像形成装置１００の装置本体内に配設された給紙部１１４に代えて、図１３の給紙装置２００を配置した画像形成装置であってもよい。
【００５９】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。例えば、上記実施形態や実施例等に記載した技術事項を適宜組み合わせたものであってもよい。
【００６０】
本発明は、上記したシート状媒体（単に「シート」ともいう）を搬送するシート搬送装置であれば紙以外を搬送する装置にも適用可能である。シートの例としては、紙のほか、コート紙、ラベル紙、ＯＨＰシート、プラスチックフィルム、布、銅箔等の金属シート、プリプレグ（炭素繊維に予め樹脂が含浸しているシート状の材料からなるもの）等を挙げられ、搬送可能な被搬送物全般を含む。
【００６１】
また、本発明を適用する画像形成装置としては、シート搬送装置及び／又はシート給送装置を有し、シートに画像を形成する画像形成手段とを具備する画像形成装置であってもよく、図１２に示した電子写真方式の画像形成装置に限定されない。即ち、インクジェット方式でシートに画像を形成する画像形成手段を具備する画像形成装置や、製版済みのマスタ（孔版原紙）を版胴に巻き付けてインキを供給しながら印刷を行う画像形成手段を具備する孔版印刷装置等を含む画像形成装置であってもよい。
【００６２】
本発明の実施の形態に適宜記載された効果は、本発明から生じる最も好適な効果を列挙したに過ぎず、本発明による効果は、本発明の実施の形態に記載されたものに限定されるものではない。
【符号の説明】
【００６３】
１０    給紙トレイ
１１    用紙積載台（シート積載台）
１２    フロント送風装置
１３    サイドフェンス
１４    サイド送風装置
１５    用紙検知センサ（シート検知手段）
２０    給紙ユニット（シート搬送装置の一例）
２１    吸着ベルト（ベルトの一例）
２１ｄ    吸着ベルトの穴
２１ｅ    吸着ベルトの裏面
２２ａ，２２ｂ    架橋ローラ（ローラ対の一例）
２３    吸引装置
２４    吸引チャンバ
２４ａ    吸引チャンバの開口部
２４ｂ    吸引チャンバの表面
２５    エアダクト
２６    駆動軸
２７    駆動モータ
２８    ブロワファン（ファンの一例）
２９    削れカス
３０    微小凹凸面（凹部の一例）
３０ａ，３０ｃ    溝
３０ｂ    斜行溝（溝の一例）
５０，２００    給紙装置（シート給送装置の一例）
１００    画像形成装置
Ｓ    用紙（シートの一例）
ＳＡ    用紙束（シート束の一例）
Ｘ    給紙方向（シート搬送方向、シート給送方向の一例）
Ｙ    ベルト幅方向
【先行技術文献】
【特許文献】
【００６４】
【特許文献１】特開２０１３−０９１５４９号公報
【図１】
2020019579.tif 000005
【図２】
2020019579.tif 000006
【図３】
2020019579.tif 000007
【図４】
2020019579.tif 000008
【図５】
2020019579.tif 000009
【図６】
2020019579.tif 000010
【図７】
2020019579.tif 000011
【図８】
2020019579.tif 000012
【図９】
2020019579.tif 000013
【図１０】
2020019579.tif 000014
【図１１】
2020019579.tif 000015
【図１２】
2020019579.tif 000016
【図１３】
2020019579.tif 000017